(57)【特許請求の範囲】
【請求項１】
可視光を発光する青色ＬＥＤ素子（波長：４４０ｎｍ〜４８０ｎｍ）、可視光を発光する緑色ＬＥＤ素子（波長：５１０ｎｍ〜５４５ｎｍ）、可視光を発光する黄色ＬＥＤ素子（波長：５７０〜６０９ｎｍ）、可視光を発光する赤色ＬＥＤ素子（波長：６１０〜６７０ｎｍ）の中から選択された少なくとも一種以上のＬＥＤ素子と、
少なくとも一個の紫外線（３２０ｎｍ〜４２０ｎｍ）を発光するＬＥＤ素子が配備されている発光部基板と、
前記各ＬＥＤ素子からの発光を透過拡散すると共に、紫外線を透過拡散するポリカーボネート材の拡散板と、
前記各ＬＥＤ素子による発光を個別に制御する制御部を備えてなり、
前記ＬＥＤ素子が隣接する方向において、前記発光部基板上の前記ＬＥＤ素子を間に挟んで、平板状の前記ポリカーボネート材の拡散板が、前記ＬＥＤ素子の両側において、それぞれ、前記発光部基板に対して垂直に立設されていて、
隣接する前記ＬＥＤ素子同士の間の最も短い配置間隔をＲとしたときに、
前記紫外線を発光するＬＥＤ素子の発光中心の位置から、前記拡散板までの距離が、少なくとも、Ｒ×１／４×３１／２であって、
前記青、緑、黄、赤の可視光の中から選択される少なくとも一種以上の可視光と、前記紫外線光とからなる光が前記拡散板を透過したときに、前記拡散板上での最も明るい部位と、最も暗い部位における明るさの差である明るさムラが５０％以内に抑えられている誘虫光源。
【請求項２】
可視光を発光する青色ＬＥＤ素子（波長：４４０ｎｍ〜４８０ｎｍ）、可視光を発光する緑色ＬＥＤ素子（波長：５１０ｎｍ〜５４５ｎｍ）、可視光を発光する黄色ＬＥＤ素子（波長：５７０〜６０９ｎｍ）、可視光を発光する赤色ＬＥＤ素子（波長：６１０〜６７０ｎｍ）の中から選択された少なくとも一種以上のＬＥＤ素子と、
少なくとも一個の紫外線（３２０ｎｍ〜４２０ｎｍ）を発光するＬＥＤ素子が配備されている発光部基板と、
前記各ＬＥＤ素子からの発光を透過拡散すると共に、紫外線を透過拡散するポリカーボネート材の拡散板と、
前記各ＬＥＤ素子による発光を個別に制御する制御部を備えてなり、
前記拡散板が、前記発光部基板の上側において、前記発光部基板上に配備されている前記ＬＥＤ素子から離れる方向に向かって突湾している形状を有し、
隣接する前記ＬＥＤ素子同士の間の最も短い配置間隔をＲとしたときに、
前記ポリカーボネート材の拡散板の前記突湾部の前記ＬＥＤ素子の発光中心の位置を中心とする曲率半径がＲ×１／２より大きい大きさであって、
前記青、緑、黄、赤の可視光の中から選択される少なくとも一種以上の可視光と、前記紫外線光とからなる光が前記拡散板を透過したときに、前記拡散板上での最も明るい部位と、最も暗い部位における明るさの差である明るさムラが５０％以内に抑えられている誘虫光源。
【請求項３】
可視光を発光する青色ＬＥＤ素子（波長：４４０ｎｍ〜４８０ｎｍ）、可視光を発光する緑色ＬＥＤ素子（波長：５１０ｎｍ〜５４５ｎｍ）、可視光を発光する黄色ＬＥＤ素子（波長：５７０〜６０９ｎｍ）、可視光を発光する赤色ＬＥＤ素子（波長：６１０〜６７０ｎｍ）の中から選択された少なくとも一種以上のＬＥＤ素子と、
少なくとも一個の紫外線（３２０ｎｍ〜４２０ｎｍ）を発光するＬＥＤ素子が配備されている発光部基板と、
前記各ＬＥＤ素子からの発光を透過拡散すると共に、紫外線を透過拡散するポリカーボネート材の拡散板と、
前記各ＬＥＤ素子による発光を個別に制御する制御部を備えてなり、
前記拡散板が、前記発光部基板の上側において、前記発光部基板上に配備されている前記ＬＥＤ素子から離れる方向に向かって突湾している形状を有し、
前記発光部基板上の前記ＬＥＤ素子から前記ポリカーボネート材の拡散板の前記突湾部の内側面までの距離が、前記ポリカーボネート材の拡散板の前記突湾部の前記ＬＥＤ素子の発光中心の位置を中心とする曲率半径より大きい大きさであって、
前記青、緑、黄、赤の可視光の中から選択される少なくとも一種以上の可視光と、前記紫外線光とからなる光が前記拡散板を透過したときに、前記拡散板上での最も明るい部位と、最も暗い部位における明るさの差である明るさムラが５０％以内に抑えられている誘虫光源。
【請求項４】
可視光を発光する青色ＬＥＤ素子（波長：４４０ｎｍ〜４８０ｎｍ）、可視光を発光する緑色ＬＥＤ素子（波長：５１０ｎｍ〜５４５ｎｍ）、可視光を発光する黄色ＬＥＤ素子（波長：５７０〜６０９ｎｍ）、可視光を発光する赤色ＬＥＤ素子（波長：６１０〜６７０ｎｍ）の中から選択された少なくとも一種以上のＬＥＤ素子と、
少なくとも一個の紫外線（３２０ｎｍ〜４２０ｎｍ）を発光するＬＥＤ素子が配備されている発光部基板と、
前記各ＬＥＤ素子からの発光を透過拡散すると共に、紫外線を透過拡散するポリカーボネート材の拡散板と、
前記各ＬＥＤ素子による発光を個別に制御する制御部を備えてなり、
前記ＬＥＤ素子が隣接する方向において、前記発光部基板上の前記ＬＥＤ素子を間に挟んで、平板状の前記ポリカーボネート材の拡散板が、前記ＬＥＤ素子の両側において、それぞれ、前記発光部基板に対して垂直に立設されていて、
隣接する前記ＬＥＤ素子同士の間の最も短い配置間隔をＲとしたときに、
前記平板状の拡散板は、前記発光部基板に対して垂直に伸びる辺の長さがＲ×１／４以上であって、
前記青、緑、黄、赤の可視光の中から選択される少なくとも一種以上の可視光と、前記紫外線光とからなる光が前記拡散板を透過したときに、前記拡散板上での最も明るい部位と、最も暗い部位における明るさの差である明るさムラが５０％以内に抑えられている誘虫光源。
【請求項５】
前記制御部は、捕捉、捕獲すべき虫に対応させて、当該虫を集めるのに適した所望の分光特性の光が前記誘虫光源から照射されるように前記各ＬＥＤ素子による発光を個別に制御し、各ＬＥＤ素子の発光波長スペクトルを制御する請求項１乃至４のいずれか一項に記載の誘虫光源。
【請求項６】
請求項１乃至請求項５のいずれか一項記載の誘虫光源を備えていて、当該誘虫光源に集まってきた虫を捕獲する捕虫器であって、当該捕虫器を構成する筐体の壁面であって、前記誘虫光源からの光が照射される筐体壁面に酸化チタン膜が形成されている
ことを特徴とする捕虫器。
【発明の詳細な説明】
【技術分野】
【０００１】
本発明は誘虫光源に関し、ＬＥＤ（Light  Emitting  Diode：発光ダイオード）素子を光源とし、虫を捕獲することを目的とした捕虫器に使用される誘虫光源に関する。
【背景技術】
【０００２】
現在、誘虫灯などに用いられている光源としては、主に紫外線を出すことを目的とした、一般的に紫外線蛍光灯と呼ばれているものが広く用いられている。
【０００３】
この紫外線蛍光灯は、主に中心波長３６０ｎｍを中心とし、他に可視光の波長も含む光源で容易に虫を誘引しやすい光源であるとされている。
【０００４】
紫外線蛍光灯で蛍光管を用いる場合、寿命が短く、ランプ切れの問題がある。そこで、頻繁に交換しなければならない手数を要する。また、ガラス管ゆえの破損の問題がある。更に、紫外線出力が時間とともに低下するため誘虫効果も低下してくる問題がある。
【０００５】
紫外線ＬＥＤ光源を用いて誘虫効果を狙い、紫外線ＬＥＤを点灯させ、光学シートを用いて拡散を行うなどを実施する例がある（例えば、特許文献２）。しかし、この従来の提案では、誘虫効果は、蛍光管と比して３０％程度の効果が認められるものの、十分とはいえない。
【０００６】
虫を捕獲することを目的とした捕虫器では、上述したような光源を組み合わせて虫を集めている。集めた虫は、当該捕虫器の下段または外部に設けた粘着性の用紙に接着させるか、捕虫袋等に収容して虫を捕捉している。
【先行技術文献】
【特許文献】
【０００７】
【特許文献１】特開２００８−２５９４４８号公報
【特許文献２】特開２０１３−１１８８２３号公報
【発明の概要】
【発明が解決しようとする課題】
【０００８】
従来の紫外線蛍光灯による誘虫灯では、ガラス管ゆえの破損の問題、寿命の問題、長期間使用した場合の出力低下による捕虫率低下の問題などがある。特に、食品業界では破損の問題は、異物混入など社会的、衛生環境上の問題になるので、解決が要請されている大きな課題である。
【０００９】
また、紫外線ＬＥＤ光源を用いて誘虫効果を狙い、紫外線ＬＥＤを点灯させ、光学シートを用いて拡散を行うなどを実施する例があるが、光学シートは高価でかつ、紫外線劣化による紫外線透過率低下という問題がある。また、誘虫効果も３０％程度と従来の紫外線蛍光灯と比して大きくないという問題があった。
【００１０】
また、紫外線ＬＥＤ光源を用いた場合、ＬＥＤ光源は指向性の問題があり、従来の捕虫器に採用しようとすると、従来の紫外線蛍光灯などが使用されている場合とは異なる形状、構造の器具が必要になるなど、互換性がない。このため、紫外線ＬＥＤ光源を捕虫器の誘虫光源に採用しようとすると捕虫器全体の形状、構造も再度設計しなければならないという問題があった。
【００１１】
更に、虫は、地域により種族や種類が異なる場合が多い。そこで、捕捉、捕獲すべき虫の種類などに対応させて、当該虫を集めるのに適した波長スペクトルの誘虫光源にすることが望ましい。しかし、これまで、一つの誘虫光源で、捕捉、捕獲すべき虫の種類などに対応させて、当該虫を集めるのに適した波長スペクトルに調整、制御できる誘虫光源は提案されていなかった。
【課題を解決するための手段】
【００１２】
可視光を発光する青色ＬＥＤ素子（波長：４４０ｎｍ〜４８０ｎｍ）、可視光を発光する緑色ＬＥＤ素子（波長：５１０ｎｍ〜５４５ｎｍ）、可視光を発光する黄色ＬＥＤ素子（波長：５７０〜６０９ｎｍ）、可視光を発光する赤色ＬＥＤ素子（波長：６１０〜６７０ｎｍ）の中から選択された少なくとも一種以上のＬＥＤ素子と、
少なくとも一個の紫外線（３２０ｎｍ〜４２０ｎｍ）を発光するＬＥＤ素子が配備されている発光部基板と、
前記各ＬＥＤ素子からの発光を拡散し、紫外線を透過するポリカーボネート材の拡散板と、
前記各ＬＥＤ素子による発光を個別に制御する制御部を備えてなる誘虫光源である。
【００１３】
前記拡散板を透過した光の前記拡散板上での最も明るい部位と、最も暗い部位における明るさの差、すなわち、明るさムラが５０％以内に抑えられている誘虫光源である。
【００１４】
前記制御部は、前記誘虫光源から所望の分光特性の光が照射されるように前記各ＬＥＤ素子による発光を個別に制御し、各ＬＥＤ素子の発光波長スペクトルを制御する誘虫光源である。
【００１５】
上述した誘虫光源に集まってきた虫を捕獲する捕虫器であって、当該捕虫器を構成する筐体の壁面であって、前記誘虫光源からの光が照射される筐体壁面に酸化チタン膜が形成されている捕虫器である。
【００１６】
発光部に紫外線を発光するＬＥＤと、青、緑、黄または赤等の可視光を発光するＬＥＤの単数個または複数個とを組み合わせて基板上に実装している。前記発光部のＬＥＤを個別に駆動できる制御部を備えている。前記制御部による前記発光部のＬＥＤを個別に駆動する制御に必要なそれぞれの波長スペクトルと光強度を記憶する記憶部を備えている。前記発光部から放射された紫外線を効率よく拡散させる拡散板で覆われた誘虫光源である。
【００１７】
紫外線波長を主体に、青、緑、黄または赤の波長スペクトルを持つ可視光も加え、任意の波長スペクトルの組み合わせを行い特定の虫を捕獲することをも目的とした誘虫光源である。
【００１８】
放射された紫外線を効率よく利用し、明るさムラが５０％以内に制御された誘虫光源である。
【００１９】
そして、このような誘虫光源を用いた捕虫器である。
【発明の効果】
【００２０】
破損のおそれや、寿命の問題、長期間使用した場合の出力低下による捕虫率低下のおそれがない誘虫灯を提供することができる。
【００２１】
一つの誘虫光源で、捕捉、捕獲すべき虫の種類などに対応させて、当該虫を集めるのに適した波長スペクトルに調整、制御できる誘虫光源を提供することができる。
【図面の簡単な説明】
【００２２】
【図１】誘虫光源の一実施形態を説明するブロック図
【図２】拡散板の配置構造に関する一実施例を説明する一部を省略したＬＥＤ捕虫光源の斜視図
【図３】虫の目の構造及び対象部を見る視野角を説明する概念図
【図４】虫の視感度と明るさムラの関係を説明する概念図
【図５】拡散板の配置構造に関する他の実施例を発光部基板上に配備されるＬＥＤ素子の配置間隔（ピッチ）と拡散板との間の距離の関係で説明する概念図
【図６】平面光源部の一実施形態を分解して説明する斜視図
【図７】図６図示の実施形態における発光部基板上に配備されるＬＥＤ素子の配置間隔（ピッチ）と拡散板との間の距離の関係を説明する概念図
【図８】図２の拡散板の配置構造に関する一実施例において、拡散板上での最も明るい部位の波長スペクトル
【図９】図２の拡散板の配置構造に関する一実施例において、拡散板上での最も暗い部位の波長スペクトル
【発明を実施するための形態】
【００２３】
この実施の形態の誘虫光源は、複数個のＬＥＤ素子が配備されている発光部基板と、前記各ＬＥＤ素子からの発光を拡散するポリカーボネート材の拡散板と、前記各ＬＥＤ素子による発光を個別に制御する制御部を備えている。
【００２４】
前記発光部基板上に配備されるＬＥＤ素子は、
可視光を発光する青色ＬＥＤ素子（波長：４４０ｎｍ〜４８０ｎｍ）、可視光を発光する緑色ＬＥＤ素子（波長：５１０ｎｍ〜５４５ｎｍ）、可視光を発光する黄色ＬＥＤ素子（波長：５７０〜６０９ｎｍ）、可視光を発光する赤色ＬＥＤ素子（波長：６１０〜６７０ｎｍ）の中から選択された少なくとも一種以上のＬＥＤ素子と、
少なくとも一個の紫外線（３２０ｎｍ〜４２０ｎｍ）を発光するＬＥＤ素子である。
【００２５】
青、緑、黄、赤の可視光の波長を発光するＬＥＤの中から選択された少なくとも一種以上のＬＥＤ素子と、少なくとも一個の紫外線（３２０ｎｍ〜４２０ｎｍ）を発光するＬＥＤ素子とを組み合わせて基板上に実装し、前記各ＬＥＤ素子からの発光を十分に拡散させることのでき、かつ紫外線を透過するポリカーボネート材の拡散板を組み合わせたものである。
【００２６】
ポリカーボネート材の拡散板は汎用品であるため、光学シートを用いて拡散させる場合に比較して低コストの光源にすることができる。
【００２７】
ポリカーボネート材の拡散板は衝撃特性に優れており、従来の蛍光管のガラス材のように破損するおそれもない。
【００２８】
また、光学シートを用いて拡散を行う場合、耐久性による劣化のおそれがあるが、ポリカーボネート材の拡散板を用いることにより、これも大幅に改善される。
【００２９】
上述した実施形態の誘虫光源において、前述したポリカーボネート材の拡散板の配置構造の実施形態としては以下のものがある。
【００３０】
（拡散板の配置構造に関する実施形態１）
隣接する前記ＬＥＤ素子同士の間の最も短い配置間隔をＲとしたときに、
前記紫外線を発光するＬＥＤ素子の中心の位置から、前記ＬＥＤ素子が隣接する方向で、前記ポリカーボネート材の拡散板までの距離がＲ×１／４である。
【００３１】
（拡散板の配置構造に関する実施形態２）
前記の実施の形態１において、前記ＬＥＤ素子が隣接する方向において、前記発光部基板上の前記ＬＥＤ素子を間に挟んで、平板状の前記ポリカーボネート材の拡散板が、前記ＬＥＤ素子の両側において、それぞれ、前記発光部基板に対して垂直に立設されている構造。
【００３２】
（拡散板の配置構造に関する実施形態３）
光源部に、紫外線を透過し十分拡散することが出来るポリカーボネートを円筒形状にしてカバーをかぶせた構造である。
【００３３】
すなわち、前記拡散板が、前記発光部基板の上側において、前記発光部基板上に配備されている前記ＬＥＤ素子から離れる方向に向かって突湾している形状を有し、
隣接する前記ＬＥＤ素子同士の間の最も短い配置間隔をＲとしたときに、
前記ポリカーボネート材の拡散板の前記突湾部の曲率半径がＲ×１／２より大きい寸法である。
【００３４】
（拡散板の配置構造に関する実施形態４）
光源部に、紫外線を透過し十分拡散することが出来るポリカーボネートを円筒形状にしてカバーをかぶせた構造である。
【００３５】
すなわち、前記拡散板が、前記発光部基板の上側において、前記発光部基板上に配備されている前記ＬＥＤ素子から離れる方向に向かって突湾している形状を有し、
前記発光部基板上の前記ＬＥＤ素子から前記ポリカーボネート材の拡散板の前記突湾部の内側面までの距離が、前記ポリカーボネート材の拡散板の前記突湾部の曲率半径より大きい大きさである。
【００３６】
（拡散板の配置構造に関する実施形態５）
前記ＬＥＤ素子が隣接する方向において、前記発光部基板上の前記ＬＥＤ素子を間に挟んで、平板状の前記ポリカーボネート材の拡散板が、前記ＬＥＤ素子の両側において、それぞれ、前記発光部基板に対して垂直に立設されていて、
隣接する前記ＬＥＤ素子同士の間の最も短い配置間隔をＲとしたときに、
前記平板状の拡散板は、前記発光部基板に対して垂直に伸びる辺の長さがＲ×１／４ 以上である。
【００３７】
以上に例示したポリカーボネート材の拡散板の配置構造の実施形態は、いずれも、前記拡散板を透過した光の前記拡散板上での最も明るい部位と、最も暗い部位における明るさの差、すなわち、明るさムラを少なくする目的で採用されている。
【００３８】
上述した実施形態において、前記拡散板を透過した光の前記拡散板上での最も明るい部位と、最も暗い部位における明るさの差が５０％以内に抑えられていることが望ましい。
【００３９】
以上の実施形態において、前記制御部は、前記誘虫光源から所望の分光特性の光が照射されるように前記各ＬＥＤ素子による発光を個別に制御し、各ＬＥＤ素子の発光波長スペクトルを制御するものとすることができる。
【００４０】
虫は、地域により種族や種類が異なる場合が多い。前記制御部は、捕捉、捕獲すべき虫の種類などに対応させて、当該虫を集めるのに適した波長スペクトルの誘虫光源にすることができるように、一つの誘虫光源で、捕捉、捕獲すべき虫の種類などに対応させて、当該虫を集めるのに適した波長スペクトルに調整、制御できるようにしている。
【００４１】
（捕虫器の実施形態）
この実施形態の捕虫器は、上述した実施形態の誘虫光源に集まってきた虫を捕獲する捕虫器であって、当該捕虫器を構成する筐体の壁面であって、前記誘虫光源からの光が照射される筐体壁面に酸化チタン膜が形成されているものである。
【００４２】
このように、本願の光源装置は、少なくとも一個の紫外線を発光するＬＥＤと、青、緑、黄または赤等の可視光の波長を発光するＬＥＤの単数または複数個を組み合わせて基板上に実装した光源部を備えている。また、その光源部にそれぞれの波長スペクトルを発光させる制御部を備えている。更に、前記制御部による前記発光部のＬＥＤを個別に駆動する制御に必要なそれぞれの波長スペクトルと光強度を記憶する記憶部を備えている。そして、前記発光部から放射された紫外線を効率よく拡散させる拡散板で覆われている。また、それらの制御部・記憶部に供給する電源部を備えている。
【００４３】
前記紫外線を発光するＬＥＤには少なくとも紫外線波長３２０ｎｍから４２０ｎｍまでの波長を一つもしくは複数個含むＬＥＤ光源を有しているものである。
【００４４】
前記光源部に、紫外線を透過し十分拡散することが出来るポリカーボネートを円筒形状にしてカバーをかぶせ、明るさムラが極力少なくし、均一に拡散板に投射させ拡散板が光ることで、虫が強烈に誘引される。
【００４５】
この円筒形の光源を、捕虫器を構成する筐体に入れ、光源部を点灯させると、虫は飛翔して筐体部に誘引される。誘引された虫は捕虫器の下部の捕虫シート等捕虫部にて捕獲される。
【００４６】
また一部の昆虫を捕束するため筐体内部に炭酸ガスを創生するのと、拡散板表面の汚れが進みづらいことを考慮して、誘虫光源からの光が照射される筐体壁面に酸化チタン膜を塗布する場合もある。
【００４７】
本発明の誘虫光源を採用している本発明の捕虫器は、虫を捕獲することが容易に達成できかつ長寿命で破損にも耐えられる器具である。
【００４８】
また意図的に特定の虫の好む波長スペクトルを放射させたり、虫の好むガスを放出させたりすることで、効率よく、特定の虫を捕獲することができる。
【００４９】
これらの要素を組み合わせることにより、昆虫などの虫の捕捉を効果的に効率よく永続的に行い、環境の改善、衛生、安全性の向上等に貢献することができる。
【００５０】
次に添付図面を参照して本発明の実施例を説明する。なお、本願発明は、上述した実施の形態及び以下の実施例に限られるものではなく、特許請求の範囲の記載から把握される技術的範囲において種々に変更可能である。
【実施例】
【００５１】
具体的実施例について添付図面を参照して説明する。
【００５２】
図１は誘虫光源のブロック図である。図示の実施例では、光源部は、ＬＥＤ発光部１１と、制御部５と、記憶部６と、電源部７を備えている。
【００５３】
発光部１１は、発光部基板上に実装された紫外線を発光するＬＥＤ素子１の他に、図１図示の実施例では、青色を発光する青色ＬＥＤ素子２、緑色に発光する緑色ＬＥＤ素子３、赤色に発光する赤色ＬＥＤ素子４を備えている。
【００５４】
制御部５は発光部１１にＬＥＤ駆動制御信号８を送る。記憶部６は記憶された波長スペクトル制御信号９を制御部５へ送る。電源部７は各部に電源供給する。
【００５５】
記憶部６は、虫による波長依存性を考慮し、捕捉、捕獲対象の虫を集めるのに適した所望の分光特性の光が誘虫光源から照射されるように、制御部５に対して波長スペクトル制御信号９を送る。信号９を受けた制御部５からのＬＥＤ駆動制御信号８によって各ＬＥＤ素子による発光が個別に制御され、これによって、捕捉、捕獲対象の虫を集めるのに適した所望の分光特性の光が誘虫光源から照射される。
【００５６】
この実施例において、各ＬＥＤ素子による発光を個別に制御する制御部は、制御部５と、記憶部６とを備えているものになる。
【００５７】
虫による波長依存性があることから、特定地域、特定虫に対し分光波長特性を変えることで、図１に例示した一つの誘虫光源で、異なる種々の捕捉、捕獲対象の虫に対する誘虫光源とすることができる。また、時間に合わせて特性を変えることも可能となり、季節・地域・時間、等で細かく管理することが可能になりより効果的な捕虫が達成できる。
【００５８】
記憶部６は、制御部５からのＬＥＤ駆動制御信号８によって各ＬＥＤ素子による発光が個別に制御されることによりこのような制御が可能になるように、捕捉、捕獲対象の虫に応じた制御用の情報、季節・地域・時間、等に応じた制御用の情報を備えている。
【００５９】
虫は紫外線（３２０ｎｍ〜４２０ｎｍ）に光反応を示すが、他の波長にも反応を示す。すなわち、青色（波長：４４０ｎｍ〜４８０ｎｍ）、緑色（波長：５１０ｎｍ〜５４５ｎｍ）、黄色（波長：５７０〜６０９ｎｍ）、赤色（波長：６１０〜６７０ｎｍ）という可視光にも反応を示す。
【００６０】
例えば、ヨコバイなどは４６０〜５２０ｎｍで反応を示す。その他、蛾の類では５３０〜６３０ｎｍに反応する種族もある。
【００６１】
これらのことから波長の組み合わせにより、特定虫の捕捉も可能となり、種族ごと、地域ごと時間帯に分光特性を変えることで季節に応じあるいは地域・時間等に効率よい虫の捕捉が可能となる。記憶部６は、制御部５からのＬＥＤ駆動制御信号８によって各ＬＥＤ素子による発光が個別に制御され、前述した波長の組み合わせ、分光特性の調整、制御を行うための情報を備えている。
【００６２】
虫による波長依存性もあることから、特定地域、特定虫に対し分光波長特性を変えることが望ましい。また、時間に合わせて特性を変えることが望ましいこともある。このように、季節・地域・時間等で細かく管理することが望ましい。これらの変更、対応を、上述した記憶部６、制御部５を備えている図１例示の一つの誘虫光源を備えた捕虫器で行うことができる。これによって、効果的な捕虫が達成できる。
【００６３】
図２は、ポリカーボネート材の拡散板の配置構造に関する一実施例を説明する一部を省略したＬＥＤ光源の斜視図である。
【００６４】
誘虫光源１３のポリカーボネート材の拡散板１２は、発光部１１における不図示の発光部基板の上側において発光部基板上に配備されているＬＥＤ素子から離れる方向に向かって突湾している形状を備えている。すなわち、光源部に、紫外線を透過し十分拡散することが出来るポリカーボネートを円筒形状にしてカバーをかぶせた構造である。
【００６５】
このように、拡散板１２が発光部基板の上側において突湾している形状を有している場合、隣接するＬＥＤ素子同士の間の最も短い配置間隔をＲとしたときに、ポリカーボネート材の拡散板１２の前記突湾部の曲率半径がＲ×１／２より大きい大きさであるようにすることが望ましい。
【００６６】
このような配置構造で、拡散板１２を透過した光の拡散板上１２での最も明るい部位と、最も暗い部位における明るさの差、すなわち明るさムラを５０％以内に抑えている。
【００６７】
虫を誘引するには、誘虫光源１３は虫にとって大きな被写体であることが好ましい。これは虫の目の構造が複眼であるため、被写体を捉える構造が人間と異なり、飛翔しふわふわ浮いていると対象物である光源を見失うことがしばしば起きるためである。
【００６８】
それゆえ、誘虫光源１３には紫外線をよく拡散する拡散板を設け、紫外線を含む、光の明るい部位と暗い部位の差、すなわち光の明るさムラを５０％以内に抑えると、捕虫効果を向上させることができる。
【００６９】
これは、虫が、紫外線光を含む光の明るさに対して反応する特性において明るい光源に反応し、暗い光源には反応しないことによるものである。紫外線を含む明かりの明るさムラを改善し、明るい部位を大きくした方が好ましいのはこのためである。
【００７０】
発明者の検討によれば、青、緑、黄、赤の可視光の中から選択される少なくとも一種以上の可視光と、紫外線光とからなる光が拡散板を透過したときに、拡散板上での最も明るい部位と、最も暗い部位における明るさの差、すなわち明るさムラが５０％以内に抑えられていると、より良い誘虫効果を発揮させる上で有利であった。
【００７１】
図３は、虫の目の構造及び対象部を見る視野角を説明するものである。図３において符号１４で示されている部位は、虫の複眼構造である。符号１５で示されている部位が虫の視神経、符号１６で示されているものが虫の視野角である。
【００７２】
虫の視野角は数度から１度程度と狭く、目標物に対して虫の目の構造と視野角からすると、飛翔時に目標物を見失うことが容易に想像できる。
【００７３】
図４を用いて虫の視感度と明るさムラの関係を説明する。
【００７４】
図４において、符号１７で示しているのは、拡散板１２上で紫外線の明るい部位と暗い部位の差、すなわち明るさムラが５０%以上ある場合である。この場合、虫の視感度では明るい部位のみ認識し、暗い部位は認識できないので中間部分は認識しない。そのため、虫の視感度では点光源となり、図４において符号１８で示しているように認識する。
【００７５】
図４において、符号１９で示しているのは、明るさムラを抑え、拡散板１２上における紫外線の明るい部位と暗い部位の差、すなわち明るさムラを５０％以内に抑えた場合である。この場合には、虫には、光源全体が明るく光って認識される。そこで、虫は、符号２０で示すように、大きな光源体として認識する。このため、虫は、光源の位置を見失うことなく、目標物に飛翔してくる。
【００７６】
明るさムラが５０％を越えている明るさムラの大きい光源による誘虫効果と、明るさムラが５０％以下の明るさが均等な光源による誘虫効果とについては、虫により差が認められる。
【００７７】
しかし、従来から、捕虫器によって捕捉、捕獲しようとしているユスリカやコバエなど、小さい虫の場合、明るさムラが５０％を越えている明るさムラの大きい光源による誘虫効果と、明るさムラが５０％以下の明るさが均等な光源による誘虫効果との間には大きな差が生じる。実験によれば、明るさムラの大きい光源の場合、明るさが均等な光源に比較して大幅に捕獲率が低下していた。発明者の実験によれば、明るさムラが５０％を越えている明るさムラの大きい光源の場合、明るさムラが５０％以下の明るさが均等な光源に比較して３０％しか虫が取れないという結果であった。
【００７８】
図５を用いて、ポリカーボネート材の拡散板の配置構造について説明する。
【００７９】
図２に例示したように、誘虫光源１３のポリカーボネート材の拡散板１２が、発光部１１における発光部基板の上側において発光部基板上に配備されているＬＥＤ素子１から離れる方向に向かって突湾している形状を備えている場合、すなわち、円筒形の拡散シートでカバーが行われている場合で説明する。
【００８０】
図５中、左側の図は、発光部基板上に複数個のＬＥＤ素子が隣接配置されている方向から見た状態を説明するものである。図５中、右側の図は、発光部基板上に複数個のＬＥＤ素子が隣接配置されている方向に直交する方向から見て、発光部基板上に配備されている複数個のＬＥＤ素子の配置間隔を説明するものである。
【００８１】
図５図示の実施形態では、紫外線を発光するＬＥＤ素子が発光部基板上に少なくとも２個以上配備されている。
【００８２】
図５の右側の図では、紫外線を発光するＬＥＤ素子１の隣に、２個の他のＬＥＤ素子が配置されている。そして、隣接するＬＥＤ素子同士の間の最も短い配置間隔がＲになっている。
【００８３】
このときに、紫外線を発光するＬＥＤ素子１の中心の位置から、ＬＥＤ素子が隣接する方向で、ＬＥＤ素子の視野角が１２０度の場合、ポリカーボネート材の拡散板までの距離がＲ×１／２になっている構造である。
【００８４】
すなわち、複数個のＬＥＤ素子が隣接する方向において、発光部基板上のＬＥＤ素子１を間に挟んで、平板状のポリカーボネート材の拡散板が、ＬＥＤ素子１の両側において、それぞれ、発光部基板に対して垂直に立設されている構造であれば、図５の左側の図において符号２２Ａで示す大きさが、少なくとも、Ｒ×１／２×３１／２になっている構造である。
【００８５】
また、このように、誘虫光源１３のポリカーボネート材の拡散板１２が、発光部１１における発光部基板の上側において発光部基板上に配備されているＬＥＤ素子１から離れる方向に向かって突湾している形状を備えている場合、  隣接するＬＥＤ素子同士の間の最も短い配置間隔が、図５の右側のように、Ｒであるときに、ポリカーボネート材の拡散板の突湾部の曲率半径がＲ×１／２より大きくなっている構造である。
【００８６】
更に、図５の左側の図において、符号２２Ｂで示されている、発光部基板１１上のＬＥＤ素子からポリカーボネート材の拡散板の突湾部の内側面までの距離が、ポリカーボネート材の拡散板の突湾部の曲率半径＋Ｒ×１／４より大きくなっている構造である。
【００８７】
また、図６、図７図示のように、発光部基板上に配備されている複数個のＬＥＤ素子が隣接する方向において、発光部基板上のＬＥＤ素子１を間に挟んで、平板状のポリカーボネート材の拡散板２３が、ＬＥＤ素子１の両側において、それぞれ、発光部基板に対して垂直に立設されていて、なおかつ、誘虫光源１３のポリカーボネート材の拡散板１２が、発光部１１における発光部基板の上側において発光部基板上に配備されているＬＥＤ素子１から離れる方向に向かって突湾している形状を備えている場合、図５の左側の図において、符号２２Ａで示される短軸系の長さが、符号２２Ｂで示される長軸系の長さより短いことが望ましい。
【００８８】
すなわち、図５の左側の図において、発光部基板上のＬＥＤ素子から拡散板の突湾部の内側面までの距離（図５の左側の図において符号２２Ｂで示される長さ）が、ＬＥＤ素子が隣接する方向において、発光部基板上のＬＥＤ素子を間に挟んで、ＬＥＤ素子の両側においてそれぞれ発光部基板に対して垂直に立設されている平板上の拡散板２３同士の間の間隔（図５の左側の図において符号２２Ａで示される長さ）より大きいことが望ましい。
【００８９】
長軸系の大きさ（図５の左側の図において符号２２Ｂで示される長さ）を、短軸系の大きさ（図５の左側の図において符号２２Ａで示される長さ）より大きくすることで、虫から見て大きな光源になりより多くの虫を捕獲することができる。
【００９０】
拡散板として高価な光学シートでなく汎用の紫外線光を通すポリカーボネートの拡散板を使用している。発光部基板に実装された紫外線ＬＥＤと可視光ＬＥＤの上側に、ＬＥＤ素子より一定の距離を持たせ、曲率を設けてポリカーボネートの拡散板を円筒形に配置することで、従来の紫外線蛍光灯管に匹敵した最適な光源を得ることができる。
【００９１】
このように円筒形の形状に定められた光源の大きさを従来の紫外線蛍光灯と同じような長さ、大きさに設定し、端子も同等の端子を設ければ、従来の捕虫器、誘虫器に電源部を取り替えれば容易に置換できる利点がある。また、円筒形であれば、紫外光が広範囲に照射するので上下左右より、虫を捕獲できることも可能となる。
【００９２】
図６は平面光源部の斜視図である。ポリカーボネート材の拡散板２３は前後面拡散板である。符号１１はＬＥＤ光源の基板に実装された発光部である。符号２４は側面板、符号２５は天板である。図７はこの平面光源部の側面図である。
【００９３】
図６、図７図示のように、青色を発光する青色ＬＥＤ、緑色を発光する緑色ＬＥＤ、赤色を発光する赤色ＬＥＤ、黄色を発光するＬＥＤ中から選択された少なくとも一種以上のＬＥＤ素子と、少なくとも１個の紫外線を発光するＬＥＤ素子１とが発光部基板上に配備されている。ＬＥＤ素子の視野角を１２０度とする。このような複数個のＬＥＤ素子が隣接する方向において、発光部基板上のＬＥＤ素子１を間に挟んで、平板状の前記ポリカーボネート材の拡散板２３が、ＬＥＤ素子１の両側において、それぞれ、発光部基板に対して垂直に立設されている構造である。この場合には、次のようになる。
【００９４】
図５の右側に示したように、隣接するＬＥＤ素子同士の間の最も短い配置間隔をＲとしたときに、平板状の拡散板２３は、発光部基板に対して垂直に伸びる辺の長さがＲ×１／４以上になっている。
【００９５】
図７で説明すれば、符号２６で示している長さが、Ｒ×１／４以上ということになる。
【００９６】
以上に例示し、図示したポリカーボネート材の拡散板の配置構造の実施形態では、いずれも、拡散板１２、２３を透過した光の拡散板１２、２３上での最も明るい部位と、最も暗い部位における明るさの差、すなわち、明るさムラが少なくなっている。
【００９７】
特に、以上に例示し、図示したポリカーボネート材の拡散板の配置構造の実施形態で、拡散板１２、２３を透過した光の拡散板１２、２３上での最も明るい部位と、最も暗い部位における明るさの差、すなわち明るさムラを５０％以内に抑えることが望ましい。
【００９８】
明るさムラを５０％以内に抑えると、図４に符号１８で示しているような明るさムラが少なくなり、虫の捕獲率が大幅に改善される。
【００９９】
実際の例で示すと、発光部基板上の隣接するＬＥＤ同士の間隔は４０ｍｍで、誘虫光源１３のポリカーボネート材の拡散板１２が、発光部１１における発光部基板の上側において発光部基板上に配備されているＬＥＤ素子１から離れる方向に向かって突湾している形状を備えている場合、突湾部の曲率を２０ｍｍ以上とすると、光ムラの少ない光源部が形成される。
【０１００】
図７では符号２６で示されている大きさ（長さ）で明るさムラを規定したが、平面光源部のように大きな光源では明るさムラが発生する部分２６は明るさムラが発生しにくい残りの部分２７が面全体に示す割合が大きければ、明るさムラが発生する部分２６を無視しても良いことを示す図である。
【０１０１】
例えば、ＬＥＤ素子同士間ピッチ４０ｍｍとする場合、図7の符号２６の長さは約１０ｍｍとなり、図７において符号２７で示す部分の長さは少なくとも倍以上の長さが好ましいので約２０ｍｍ以上あれば良い。
【０１０２】
図８、図９は図２の拡散板の配置構造に関する一実施例のデータである。図８は拡散板上での最も明るい部位の波長スペクトル、図９は拡散板上での最も暗い部位の波長スペクトルである。この時の明るさムラは５０％以内である。
【０１０３】
この実施形態での誘虫光源は、紫外線光を高拡散する。この拡散光を用いて、例えば、捕虫器内部の壁に光触媒膜を前面に塗布すると、均等に光触媒が進む。これによって、容易に炭酸ガスが創生され、炭酸ガスを好む虫、例えば、蚊などを誘引しやすくする捕虫器になる。
【０１０４】
また、酸化チタン膜は汚れに強く、汚れも落ちやすいため衛生上でも適した素材であり、虫が滑りやすく捕虫しやすくなる。
【０１０５】
前述の光源部１１から放出される紫外線光量は明るさムラの少ない光源のため、筐体内部に塗布された酸化チタン膜によく反応する。また、できるだけ近接的に配置することで紫外線の光エネルギを効率よく受け取り効率よく励起される。そこで、炭酸ガスをより多く創生させることが出来る。この発生する炭酸ガスにおいて、特定虫、例えば、蚊の捕虫に効果がある。
【産業上の利用可能性】
【０１０６】
本発明の誘虫光源及び、これを用いた捕虫器を用いることで安定的に捕虫が可能になり、衛生面でも改善がなされる。例えば、公共施設に設置することで害虫の捕獲が出来る。あるいは、季節に応じ、地域に応じ虫の駆除が出来る。更に、農作物、畜産物、等に設置することで、一切農薬を用いないで、害虫駆除が達成できる。そこで、安全面、衛生面でも社会に貢献することが出来る。
【符号の説明】
【０１０７】
１  紫外線を発光する紫外線ＬＥＤ
２  青色を発光する青色ＬＥＤ
３  緑色を発光する緑色ＬＥＤ
４  赤色もしくは黄色を発光するＬＥＤ
５  ＬＥＤの電流を制御する制御部
６  各ＬＥＤの制御信号を記憶する記憶部
７  ＬＥＤ素子、制御部、記憶部に電源を供給する電源部
８  制御部から出力される制御信号
９  記憶部から出力される記憶信号
１０  電源部から供給される電源供給
１１  基板上に、青色ＬＥＤ、緑色ＬＥＤ、赤色ＬＥＤと、少なくとも１個の紫外線ＬＥＤとが実装されたＬＥＤ発光部
１２  ポリカーボネートの拡散板
１３  ＬＥＤ捕虫光源
１４  虫の複眼構造
１５  虫の視神経
１６  虫の視野角
１７  拡散板上で明るさムラが５０%以上ある場合の拡散板の模式図
１８  拡散板上で明るさムラが５０%以上ある場合の拡散板に示された光源の虫の視神経に映し出された模式図
１９  拡散板上で明るさムラが５０%以内の場合の拡散板の模式図
２０  拡散板上で明るさムラが５０%以内の場合の拡散板に示された光源の虫の視神経に映し出された模式図
２１  ＬＥＤ発光部の基板上に配置された隣接するＬＥＤのピッチ
２２  ＬＥＤと拡散板との距離
２２Ａ  円筒形照明の内径の短軸系
２２Ｂ  円筒形照明の内径の長軸系
２３  平面光源部の拡散板
２４  平面光源部の側部
２５  平面光源部の天部
２６  明るさムラが発生する平面光源部の拡散板の高さ
２７  明るさムラが発生しにくい平面光源部の拡散板の高さ
【図１】
0006449184.tif 000002
【図２】
0006449184.tif 000003
【図３】
0006449184.tif 000004
【図４】
0006449184.tif 000005
【図５】
0006449184.tif 000006
【図６】
0006449184.tif 000007
【図７】
0006449184.tif 000008
【図８】
0006449184.tif 000009
【図９】
0006449184.tif 000010